(57)【要約】【課題】偏光板の貼付位置精度を向上することが可能な液晶表示装置を提供することを目的とする。【解決手段】アクティブエリアに配置された画素電極と、アクティブエリアの外側に配置されコモン電位の給電パッドと、を備えた第１基板と、絶縁基板と、絶縁基板の第１面においてアクティブエリアの外側に枠状に形成されるとともに給電パッドに向かい合う給電部に延在した遮光層と、給電部に配置され遮光層と同一材料によって形成された第１マーク及び遮光層に形成された開口からなる第２マークを含み絶縁基板の第２面に貼付される偏光板の位置確認用の偏光板マークと、画素電極と向かい合うとともにアクティブエリアの外側の給電部に延在し遮光層及び偏光板マークの上に配置された対向電極と、を備えた第２基板と、第１基板と第２基板との間に保持された液晶層と、を備えたことを特徴とする液晶表示装置。【選択図】      図４
2010271691.tif 000002
【特許請求の範囲】
【請求項１】
アクティブエリアに配置された画素電極と、アクティブエリアの外側に配置されコモン電位の給電パッドと、を備えた第１基板と、
絶縁基板と、前記絶縁基板の第１面においてアクティブエリアの外側に枠状に形成されるとともに前記給電パッドに向かい合う給電部に延在した遮光層と、前記給電部に配置され前記遮光層と同一材料によって形成された第１マーク及び前記遮光層に形成された開口からなる第２マークを含み前記絶縁基板の第２面に貼付される偏光板の位置確認用の偏光板マークと、前記画素電極と向かい合うとともにアクティブエリアの外側の前記給電部に延在し前記遮光層及び前記偏光板マークの上に配置された対向電極と、を備えた第２基板と、
前記第１基板と前記第２基板との間に保持された液晶層と、
前記第１基板の前記給電パッドと前記第２基板の前記給電部に延在した前記対向電極とを電気的に接続する導電部材と、
を備えたことを特徴とする液晶表示装置。
【請求項２】
絶縁基板と、前記絶縁基板の第１面においてアクティブエリアに配置された画素電極と、前記絶縁基板の第１面に配置されたコモン電位の給電配線と、前記給電配線に接続されるとともにアクティブエリアの外側に配置された給電パッドと、前記絶縁基板と前記給電パッドとの間において前記給電配線と同一材料によって形成された第1マーク及び前記給電配線に形成された開口からなる第２マークを含み前記絶縁基板の第２面に貼付される偏光板の位置確認用の偏光板マークと、を備えた第１基板と、
アクティブエリアの外側に枠状に形成された遮光層と、前記画素電極と向かい合うとともにアクティブエリアの外側において前記給電パッドに向かい合う給電部に延在した対向電極と、を備えた第２基板と、
前記第１基板と前記第２基板との間に保持された液晶層と、
前記第１基板の前記給電パッドと前記第２基板の前記給電部に延在した前記対向電極とを電気的に接続する導電部材と、
を備えたことを特徴とする液晶表示装置。
【請求項３】
第１絶縁基板と、前記第１絶縁基板の第１面においてアクティブエリアに配置された画素電極と、前記第１絶縁基板の第１面に配置されたコモン電位の給電配線と、前記給電配線に接続されるとともにアクティブエリアの外側に配置された給電パッドと、前記第１絶縁基板と前記給電パッドとの間において前記給電配線と同一材料によって形成された第1マーク及び前記給電配線に形成された開口からなる第２マークを含み前記第１絶縁基板の第２面に貼付される第１偏光板の位置確認用の偏光板マークと、を備えた第１基板と、
第２絶縁基板と、前記第２絶縁基板の第１面においてアクティブエリアの外側に枠状に形成されるとともに前記給電パッドに向かい合う給電部に延在した遮光層と、前記給電部に配置され前記遮光層と同一材料によって形成された第１マーク及び前記遮光層に形成された開口からなる第２マークを含み前記第２絶縁基板の第２面に貼付される第２偏光板の位置確認用の偏光板マークと、前記画素電極と向かい合うとともにアクティブエリアの外側の前記給電部に延在し前記遮光層及び前記偏光板マークの上に配置された対向電極と、を備えた第２基板と、
前記第１基板と前記第２基板との間に保持された液晶層と、
前記第１基板の前記給電パッドと前記第２基板の前記給電部に延在した前記対向電極とを電気的に接続する導電部材と、
を備えたことを特徴とする液晶表示装置。
【請求項４】
前記偏光板マークの前記第１マーク及び前記第２マークは、十字マーク及び前記十字マークの周囲に配置されたＬ字マークを含むことを特徴とする請求項１乃至３のいずれか１項に記載の液晶表示装置。
【請求項５】
前記偏光マークは略正方形であり、前記十字マークはその中心で交差し、前記Ｌ字マークはその４隅にそれぞれ配置されたことを特徴とする請求項４に記載の液晶表示装置。
【請求項６】
前記偏光板マークの前記第１マーク及び前記第２マークは、さらに、４つの前記Ｌ字マークの間にそれぞれ配置されたドットマークを含むことを特徴とする請求項１乃至３のいずれか１項に記載の液晶表示装置。
【請求項７】
前記偏光板マークは、前記絶縁基板の４隅に配置されたことを特徴とする請求項１または２に記載の液晶表示装置。
【請求項８】
前記第１基板及び前記第２基板の少なくとも一方は、第２面に貼付される偏光板の位置合わせ用のアライメントマークを備えたことを特徴とする請求項１乃至３のいずれか１項に記載の液晶表示装置。
【発明の詳細な説明】
【技術分野】
【０００１】
この発明は、液晶表示装置に関する。
【背景技術】
【０００２】
液晶表示装置は、軽量、薄型、低消費電力などの特徴を生かして、パーソナルコンピュータなどのＯＡ機器やテレビなどの表示装置として各種分野で利用されている。近年では、液晶表示装置は、携帯電話などの携帯端末機器や、カーナビゲーション装置、ゲーム機などの表示装置としても利用されている。
【０００３】
液晶表示装置を製造する過程において、各種パターンを形成する工程や、マザー基板から複数の液晶表示パネルを分断する工程、偏光板などを液晶表示パネルに貼付する工程などにおいては、所定のマークを位置決めの基準として用いている。
【０００４】
例えば、特許文献１によれば、マザー基板の四隅の捨てシロとなる端材上にアライメントマークを形成する技術が開示されている。特に、この特許文献１においては、アライメントマークが十字形状であり、ＣＦ基板側にアライメントマークを形成する場合にはブラックマトリクスの形成と同時に同材料で形成することが開示されている。
【０００５】
また、特許文献２によれば、液晶表示パネルの表示エリア内に、偏光板に形成されたアライメントマークと重なる位置に偏光板位置合わせ用のアライメントマークを表示する技術、及び、液晶表示パネルの表示エリアの外側に、偏光板位置合わせ用のアライメントマークを予め形成しておく技術が開示されている。
【先行技術文献】
【特許文献】
【０００６】
【特許文献１】特開２００７−１２１６８８号公報
【特許文献２】特開２００５−２６６２８４号公報
【発明の概要】
【発明が解決しようとする課題】
【０００７】
この発明の目的は、偏光板の貼付位置精度を向上することが可能な液晶表示装置を提供することにある。
【課題を解決するための手段】
【０００８】
この発明の一態様によれば、
アクティブエリアに配置された画素電極と、アクティブエリアの外側に配置されコモン電位の給電パッドと、を備えた第１基板と、絶縁基板と、前記絶縁基板の第１面においてアクティブエリアの外側に枠状に形成されるとともに前記給電パッドに向かい合う給電部に延在した遮光層と、前記給電部に配置され前記遮光層と同一材料によって形成された第１マーク及び前記遮光層に形成された開口からなる第２マークを含み前記絶縁基板の第２面に貼付される偏光板の位置確認用の偏光板マークと、前記画素電極と向かい合うとともにアクティブエリアの外側の前記給電部に延在し前記遮光層及び前記偏光板マークの上に配置された対向電極と、を備えた第２基板と、前記第１基板と前記第２基板との間に保持された液晶層と、前記第１基板の前記給電パッドと前記第２基板の前記給電部に延在した前記対向電極とを電気的に接続する導電部材と、を備えたことを特徴とする液晶表示装置が提供される。
【０００９】
この発明の他の態様によれば、
絶縁基板と、前記絶縁基板の第１面においてアクティブエリアに配置された画素電極と、前記絶縁基板の第１面に配置されたコモン電位の給電配線と、前記給電配線に接続されるとともにアクティブエリアの外側に配置された給電パッドと、前記絶縁基板と前記給電パッドとの間において前記給電配線と同一材料によって形成された第1マーク及び前記給電配線に形成された開口からなる第２マークを含み前記絶縁基板の第２面に貼付される偏光板の位置確認用の偏光板マークと、を備えた第１基板と、アクティブエリアの外側に枠状に形成された遮光層と、前記画素電極と向かい合うとともにアクティブエリアの外側において前記給電パッドに向かい合う給電部に延在した対向電極と、を備えた第２基板と、前記第１基板と前記第２基板との間に保持された液晶層と、前記第１基板の前記給電パッドと前記第２基板の前記給電部に延在した前記対向電極とを電気的に接続する導電部材と、を備えたことを特徴とする液晶表示装置が提供される。
【００１０】
この発明の他の態様によれば、
第１絶縁基板と、前記第１絶縁基板の第１面においてアクティブエリアに配置された画素電極と、前記第１絶縁基板の第１面に配置されたコモン電位の給電配線と、前記給電配線に接続されるとともにアクティブエリアの外側に配置された給電パッドと、前記第１絶縁基板と前記給電パッドとの間において前記給電配線と同一材料によって形成された第1マーク及び前記給電配線に形成された開口からなる第２マークを含み前記第１絶縁基板の第２面に貼付される第１偏光板の位置確認用の偏光板マークと、を備えた第１基板と、第２絶縁基板と、前記第２絶縁基板の第１面においてアクティブエリアの外側に枠状に形成されるとともに前記給電パッドに向かい合う給電部に延在した遮光層と、前記給電部に配置され前記遮光層と同一材料によって形成された第１マーク及び前記遮光層に形成された開口からなる第２マークを含み前記第２絶縁基板の第２面に貼付される第２偏光板の位置確認用の偏光板マークと、前記画素電極と向かい合うとともにアクティブエリアの外側の前記給電部に延在し前記遮光層及び前記偏光板マークの上に配置された対向電極と、を備えた第２基板と、前記第１基板と前記第２基板との間に保持された液晶層と、前記第１基板の前記給電パッドと前記第２基板の前記給電部に延在した前記対向電極とを電気的に接続する導電部材と、を備えたことを特徴とする液晶表示装置が提供される。
【発明の効果】
【００１１】
この発明によれば、偏光板の貼付位置精度を向上することが可能な液晶表示装置を提供することができる。
【図面の簡単な説明】
【００１２】
【図１】図１は、この発明の一実施の形態における液晶表示装置の構成を概略的に示す図である。
【図２】図２は、図１に示した液晶表示パネルの構造を概略的に示す断面図である。
【図３】図３は、図２に示した液晶表示パネルを対向基板側から見た概略平面図である。
【図４】図４は、第１偏光板及び第２偏光板の貼付及び位置確認の検査工程を説明するためのフローチャートである。
【図５】図５は、液晶表示パネルにおけるアレイ基板側から対向基板側への給電構造を示す概略断面図である。
【図６】図６は、図５に示した液晶表示パネルに適用可能な偏光板マークの形状の一例を示す平面図である。
【図７】図７は、図５に示した液晶表示パネルに適用可能な対向基板における給電部の構造を概略的に示す平面図である。
【図８】図８は、液晶表示パネルに適用可能なアレイ基板における給電パッドを含む周辺の構造を概略的に示す平面図である。
【図９】図９は、図８に示したアレイ基板のＡ−Ｂ線で切断した液晶表示パネルの概略断面図である。
【図１０】図１０は、液晶表示パネルにおけるアレイ基板側から対向基板側への他の給電構造を示す概略断面図である。
【発明を実施するための形態】
【００１３】
以下、この発明の一実施の形態に係る液晶表示装置について図面を参照して説明する。
【００１４】
図１は、本実施形態に係る液晶表示装置の構成を概略的に示す図である。すなわち、この液晶表示装置は、アクティブマトリクスタイプの液晶表示装置であって、液晶表示パネルＬＰＮを備えている。この液晶表示パネルＬＰＮは、一対の基板、すなわち第１基板としてのアレイ基板ＡＲと、アレイ基板ＡＲに対向して配置された第２基板としての対向基板ＣＴと、を備えている。これらのアレイ基板ＡＲと対向基板ＣＴとは、シール材ＳＥによって貼り合わせられている。また、液晶表示パネルＬＰＮは、アレイ基板ＡＲと対向基板ＣＴとの間に保持された液晶層ＬＱを備えている。
【００１５】
このような液晶表示パネルＬＰＮは、画像を表示する表示エリアすなわちアクティブエリアＤＳＰを備えている。このアクティブエリアＤＳＰは、シール材ＳＥによって囲まれており、ｍ×ｎ個のマトリクス状に配置された複数の画素ＰＸによって構成されている（但し、ｍ及びｎは正の整数）。
【００１６】
アレイ基板ＡＲは、アクティブエリアＤＳＰにおいて、第１方向（あるいは行方向）Ｈに沿ってそれぞれ延出したｎ本のゲート線Ｙ（Ｙ１〜Ｙｎ）、各ゲート線Ｙと交差するように第２方向（あるいは列方向）Ｖに沿ってそれぞれ延出したｍ本のソース線Ｘ（Ｘ１〜Ｘｍ）、各画素ＰＸにおいてゲート線Ｙとソース線Ｘとの交差部近傍に配置されたｍ×ｎ個のスイッチング素子Ｗ、各画素ＰＸに配置されスイッチング素子Ｗに接続されたｍ×ｎ個の画素電極ＥＰなどを備えている。
【００１７】
各スイッチング素子Ｗは、例えば、ｎチャネル薄膜トランジスタ（ＴＦＴ）によって構成されている。スイッチング素子Ｗのゲート電極ＷＧは、ゲート線Ｙに電気的に接続されている（あるいは、ゲート電極ＷＧはゲート線Ｙと一体的に形成されている）。スイッチング素子Ｗのソース電極ＷＳは、ソース線Ｘに電気的に接続されている（あるいは、ソース電極ＷＳはソース線Ｘと一体に形成されている）。スイッチング素子Ｗのドレイン電極ＷＤは、画素電極ＥＰに電気的に接続されている。
【００１８】
ｎ本のゲート線Ｙは、それぞれアクティブエリアＤＳＰの外側に引き出され、ゲートドライバＹＤに接続されている。ゲートドライバＹＤは、コントローラＣＮＴによる制御に基づいてｎ本のゲート線Ｙに順次走査信号（駆動信号）を供給する。
【００１９】
また、ｍ本のソース線Ｘは、それぞれアクティブエリアＤＳＰの外側に引き出され、ソースドライバＸＤに接続されている。ソースドライバＸＤは、コントローラＣＮＴによる制御に基づいてｍ本のソース線Ｘに映像信号（駆動信号）を供給する。
【００２０】
一方、対向基板ＣＴは、アクティブエリアＤＳＰにおいて、対向電極ＥＴなどを備えている。この対向電極ＥＴは、複数の画素ＰＸに共通である。つまり、対向電極ＥＴは、各画素ＰＸの画素電極ＥＰと向かい合う連続した電極であり、アクティブエリアＤＳＰの外側において、給電配線ＣＯＭからコモン電位が供給される。
【００２１】
また、この対向基板ＣＴは、アクティブエリアＤＳＰを囲む遮光層３２を備えている。この遮光層３２は、アクティブエリアＤＳＰの外側に枠状に形成されている。
【００２２】
液晶表示パネルＬＰＮの構造について、以下により詳細に説明する。
【００２３】
図２は、図１に示した液晶表示パネルＬＰＮの概略断面図である。
【００２４】
液晶表示パネルＬＰＮのアレイ基板ＡＲは、ガラス板や石英板などの光透過性を有する第１絶縁基板１０を用いて形成されている。このアレイ基板ＡＲは、第１絶縁基板１０の第１面１０Ａつまり対向基板ＣＴと向かい合う側の面に、スイッチング素子Ｗ、画素電極ＥＰなどを備えている。
【００２５】
スイッチング素子Ｗは、第１絶縁基板１０の上に配置された半導体層１２を備えている。この半導体層１２は、例えば、ポリシリコンやアモルファスシリコンなどによって形成可能であり、ここではアモルファスシリコンによって形成されている。半導体層１２は、チャネル領域１２Ｃを挟んだ両側にそれぞれソース領域１２Ｓ及びドレイン領域１２Ｄを有している。なお、第１絶縁基板１０半導体層１２との間には、絶縁膜であるアンダーコート層が介在していても良い。半導体層１２は、ゲート絶縁膜１４によって覆われている。また、ゲート絶縁膜１４は、第１絶縁基板１０の上にも配置されている。
【００２６】
スイッチング素子Ｗのゲート電極ＷＧは、ゲート絶縁膜１４の上に配置され、半導体層１２のチャネル領域１２Ｃの直上に位置している。このゲート電極ＷＧは、例えば、ゲート絶縁膜１４の上に配置されたゲート線Ｙと一体的に形成されている。このようなゲート線Ｙ及びゲート電極ＷＧは、同一材料を用いて同一工程で形成可能であり、例えばアルミニウム、モリブデン、タングステン、チタンなどの低抵抗な導電材料によって形成されている。ここに示した導電材料は、いずれも光の透過率が極めて低い（あるいはほとんど透過率がゼロである）遮光性の材料である。一例として、ゲート線Ｙ及びゲート電極ＷＧは、チタン／アルミニウム／チタンの３層積層体によって形成されている。
【００２７】
ゲート電極ＷＧ及びゲート線Ｙは、ともに層間絶縁膜１６によって覆われている。また、この層間絶縁膜１６は、ゲート絶縁膜１４の上にも配置されている。これらのゲート絶縁膜１４及び層間絶縁膜１６は、例えば、酸化シリコン及び窒化シリコンなどの無機系材料によって形成されている。
【００２８】
スイッチング素子Ｗのソース電極ＷＳは、層間絶縁膜１６の上に配置されている。このソース電極ＷＳは、層間絶縁膜１６の上に配置されたソース線Ｘと一体的に形成されている。また、ソース電極ＷＳは、ゲート絶縁膜１４及び層間絶縁膜１６を貫通するコンタクトホールを通して半導体層１２のソース領域１２Ｓにコンタクトしている。
【００２９】
スイッチング素子Ｗのドレイン電極ＷＤは、層間絶縁膜１６の上に配置されている。このドレイン電極ＷＤは、ゲート絶縁膜１４及び層間絶縁膜１６を貫通するコンタクトホールを通して半導体層１２のドレイン領域１２Ｄにコンタクトしている。
【００３０】
これらのソース線Ｘ、ソース電極ＷＳ及びドレイン電極ＷＤは、同一材料を用いて同一工程で形成可能であり、ゲート電極ＷＧなどと同様の導電材料、例えばモリブデン、アルミニウム、タングステン、チタンなどの導電材料によって形成されている。
【００３１】
これらのソース線Ｘ、ソース電極ＷＳ及びドレイン電極ＷＤは、絶縁膜１８によって覆われている。また、この絶縁膜１８は、層間絶縁膜１６の上にも配置されている。このような絶縁膜１８は、例えば、感光性樹脂や熱硬化性樹脂などの光透過性を有する各種樹脂材料によって形成されている。このような絶縁膜１８は、例えば、スピンコートなどの手法によって塗布された後に露光あるいは加熱などの硬化処理を経て形成されている。このため、絶縁膜１８は、下地の凹凸を吸収し、その表面つまり液晶層ＬＱに面する側の面が概ね平坦に形成されている。
【００３２】
画素電極ＥＰは、アクティブエリアＤＳＰにおいて各画素ＰＸに配置されている。すなわち、この画素電極ＥＰは、絶縁膜１８の上に配置され、絶縁膜１８に形成されたコンタクトホールを通してドレイン電極ＷＤと電気的に接続されている。このような画素電極ＥＰは、インジウム・ティン・オキサイド（ＩＴＯ）やインジウム・ジンク・オキサイド（ＩＺＯ）などの光透過性を有する導電材料によって形成されている。
【００３３】
画素電極ＥＰの表面は、第１配向膜２０によって覆われている。すなわち、第１配向膜２０は、アレイ基板ＡＲの対向基板ＣＴと向かい合う側の表面、つまり、液晶層ＬＱに接する面に配置されている。
【００３４】
一方、液晶表示パネルＬＰＮの対向基板ＣＴは、ガラス板や石英板などの光透過性を有する第２絶縁基板３０を用いて形成されている。この対向基板ＣＴは、第２絶縁基板３０の第１面３０Ａつまりアレイ基板ＡＲと向かい合う側の面に、ブラックマトリクス３１、遮光層３２、カラーフィルタ層３４Ｒ、３４Ｇ、３４Ｂ、対向電極ＥＴなどを備えている。
【００３５】
ブラックマトリクス３１は、アクティブエリアＤＳＰにおいて画素ＰＸの間に配置されている。つまり、各画素ＰＸは、ブラックマトリクス３１によって区画されている。このブラックマトリクス３１は、黒色に着色された樹脂材料やクロム（Ｃｒ）などの遮光性を有する金属材料などによって形成可能であり、ここでは、クロムによって形成されている。このようなブラックマトリクス３１は、第２絶縁基板３０の上に配置され、アレイ基板ＡＲに設けられたスイッチング素子Ｗや、上述したゲート線Ｙ及びソース線Ｘなどの各種配線に対向している。
【００３６】
遮光層３２は、アクティブエリアＤＳＰの外側に配置されている。この遮光層３２は、ブラックマトリクス３１と同一材料によって形成可能であり、ここでは、クロムによって形成されている。これにより、製造工程を増やすことなく、ブラックマトリクス３１及び遮光層３２を同一工程で形成できる。
【００３７】
カラーフィルタ層３４（Ｒ、Ｇ、Ｂ）は、アクティブエリアＤＳＰの各画素ＰＸに配置されている。このようなカラーフィルタ層３４（Ｒ、Ｇ、Ｂ）は、絶縁基板３０の上に配置され、その一部がブラックマトリクス３１に積層されている。
【００３８】
これらのカラーフィルタ層３４（Ｒ、Ｇ、Ｂ）は、互いに異なる複数の色、例えば赤色、青色、緑色といった３原色にそれぞれ着色された樹脂材料によって形成されている。すなわち、カラーフィルタ層３４Ｒは、赤色に着色された樹脂材料によって形成され、赤色を表示する画素ＰＸに配置されている。また、カラーフィルタ層３４Ｇは、緑色に着色された樹脂材料によって形成され、緑色を表示する画素ＰＸに配置されている。同様に、カラーフィルタ層３４Ｂは、青色に着色された樹脂材料によって形成され、青色を表示する画素ＰＸに配置されている。
【００３９】
対向電極ＥＴは、アクティブエリアＤＳＰに配置され、カラーフィルタ層３４（Ｒ、Ｇ、Ｂ）の上に延在した連続膜である。アクティブエリアＤＳＰにおいては、対向電極ＥＴは、各画素ＰＸの画素電極ＥＰと対向している。また、この対向電極ＥＴは、アクティブエリアＤＳＰの外側にも延在している。アクティブエリアＤＳＰの外側においては、対向電極ＥＴは、遮光層３２の上などに配置されている。この対向電極ＥＴは、ＩＴＯやＩＺＯなどの光透過性を有する導電材料によって形成されている。
【００４０】
なお、対向基板ＣＴには、カラーフィルタ層３４（Ｒ、Ｇ、Ｂ）の表面の凹凸の影響を緩和するために、カラーフィルタ層３４（Ｒ、Ｇ、Ｂ）と対向電極ＥＴとの間に、透明な樹脂材料などからなるオーバーコート層を配置しても良い。
【００４１】
対向電極ＥＴの表面は、第２配向膜３６によって覆われている。すなわち、第２配向膜３６は、対向基板ＣＴのアレイ基板ＡＲと向かい合う側の表面、つまり液晶層ＬＱに接する面に配置されている。これらの第１配向膜２０及び第２配向膜３６は、例えばポリイミドによって形成されている。
【００４２】
上述したようなアレイ基板ＡＲと対向基板ＣＴとは、それぞれの第１配向膜２０及び第２配向膜３６が対向するように配置されている。このとき、アレイ基板ＡＲの第１配向膜２０と対向基板ＣＴの第２配向膜３６との間には、図示しないスペーサ（例えば、樹脂材料によって一方の基板に一体的に形成された柱状スペーサ）が配置され、これにより、所定のギャップが形成される。アレイ基板ＡＲと対向基板ＣＴとは、所定のギャップが形成された状態でシール材ＳＥによって貼り合わせられている。
【００４３】
液晶層ＬＱは、上述したセルギャップに封入されている。すなわち、液晶層ＬＱは、アレイ基板ＡＲの画素電極ＥＰと対向基板ＣＴの対向電極ＥＴとの間に保持された液晶組成物によって構成されている。液晶層ＬＱと画素電極ＥＰとの間には、第１配向膜２０が介在している。液晶層ＬＱと対向電極ＥＴとの間には、第２配向膜３６が介在している。
【００４４】
液晶表示パネルＬＰＮの一方の外面、つまり、アレイ基板ＡＲを構成する第１絶縁基板１０の第１面１０Ａとは反対側の第２面１０Ｂには、第１偏光板ＰＬ１が接着剤などにより貼付されている。また、液晶表示パネルＬＰＮの他方の外面、つまり、対向基板ＣＴを構成する第２絶縁基板３０の第１面３０Ａとは反対側の第２面３０Ｂには、第２偏光板ＰＬ２が接着剤などにより貼付されている。これらの第１偏光板ＰＬ１及び第２偏光板ＰＬ２は、アクティブエリアＤＳＰの直上に位置するとともに、アクティブエリアＤＳＰの外側にも延在している。
【００４５】
図３は、図２に示した液晶表示パネルＬＰＮを対向基板ＣＴの側から見た概略平面図である。
【００４６】
液晶表示パネルＬＰＮは、貼付された第１偏光板ＰＬ１及び第２偏光板ＰＬ２の位置確認用の偏光板マークＭを備えている。この偏光板マークＭは、液晶表示パネルＬＰＮの４隅に配置されている。これらの偏光板マークＭは、アクティブエリアＤＳＰの外側に配置されている。また、これらの偏光板マークＭは、アレイ基板ＡＲ及び対向基板ＣＴの少なくとも一方に形成され、図示した４つの偏光板マークＭは、対向基板ＣＴの４隅に配置されている。このような偏光板マークＭは、目視可能である。
【００４７】
図３においては、対向基板ＣＴの側から見た液晶表示パネルＬＰＮを示しており、対向基板ＣＴの外面に貼付された第２偏光板ＰＬ２が図示されているが、アレイ基板ＡＲの外面に貼付された第１偏光板ＰＬ１も第２偏光板ＰＬ２と略同一サイズに形成され、且つ第２偏光板ＰＬ２と略同一の位置に貼付されている。
【００４８】
これらの第１偏光板ＰＬ１及び第２偏光板ＰＬ２は、矩形状に形成されそれぞれ４つの角部Ｃを有するとともに、矩形状のアクティブエリアＤＳＰに配置されるとともにアクティブエリアＤＳＰの外側にも延在している。例えば、良品の液晶表示パネルＬＰＮについては、第１偏光板ＰＬ１及び第２偏光板ＰＬ２のそれぞれ４つの角部Ｃは、少なくとも一部が偏光板マークＭの直上に位置している。
【００４９】
ここで説明したような対向基板ＣＴに形成された４つの偏光板マークＭは、対向基板ＣＴの外面に貼付される第２偏光板ＰＬ２の位置確認のみならず、アレイ基板ＡＲの外面に貼付される第１偏光板ＰＬ１の位置確認のために利用可能であるが、第１偏光板ＰＬ１の位置確認のために、別個にアレイ基板ＡＲに４つの偏光板マークを形成することが望ましい。
【００５０】
また、液晶表示パネルＬＰＮは、第１偏光板ＰＬ１及び第２偏光板ＰＬ２を液晶表示パネルＬＰＮに貼付する際にこれらを位置合わせするためのアライメントマークＡＭを備えている。図示した例では、アライメントマークＡＭは、液晶表示パネルＬＰＮの３箇所に配置されている。これらのアライメントマークＡＭは、アクティブエリアＤＳＰの外側に配置されている。また、これらのアライメントマークＡＭは、アレイ基板ＡＲ及び対向基板ＣＴの少なくとも一方に形成され、図示した３つのアライメントマークＡＭは、対向基板ＣＴと重ならないアレイ基板ＡＲの延在部に配置されている。このようなアライメントマークＡＭは、第１偏光板ＰＬ１及び第２偏光板ＰＬ２を液晶表示パネルＬＰＮに貼付する装置において光学的に読取可能である。
【００５１】
なお、アライメントマークＡＭは、図示した例に限らず、対向基板ＣＴに配置されても良い。また、位置決め用のアライメントマークを別個に設けることなく、他の部材をアライメントマークとして利用しても良い。例えば、対向基板ＣＴに形成された枠状の遮光層３２のエッジをアライメントマークとして利用することが可能である。より具体的には、遮光層３２の４つの角部の内側のエッジを光学的に読み取り、アライメントマークとして利用しても良い。また、液晶表示パネルＬＰＮに特にアライメントマークＡＭを形成することなく、液晶表示パネルＬＰＮの外形を光学的に読み取り、液晶表示パネルＬＰＮの４つの角部をアライメントマークとして利用しても良い。
【００５２】
なお、上述した偏光板マークＭをアライメントマークＡＭとして利用することも可能である。
【００５３】
次に、第１偏光板ＰＬ１及び第２偏光板ＰＬ２の貼付及び位置確認の検査について図４に示したフローチャートを参照しながら説明する。
【００５４】
まず、アレイ基板ＡＲと対向基板ＣＴとの間に液晶層ＬＱが保持された状態の液晶表示パネルＬＰＮを形成する（ＳＴ１）。ここで用意される液晶表示パネルＬＰＮは、例えば、大型のマザー基板を利用して複数の液晶表示パネルＬＰＮとなり得る領域を一括形成した後に割断して切り出されたものである。
【００５５】
続いて、液晶表示パネルＬＰＮを偏光板貼付装置にセットし、偏光板を貼付する（ＳＴ２）。このとき、偏光板貼付装置では、１枚の偏光板を吸着保持する一方で、液晶表示パネルＬＰＮからアライメントマークＡＭを光学的に読み取り、読み取ったアライメントマークＡＭの位置に基づいて保持している偏光板と液晶表示パネルＬＰＮとの位置合わせを行い、吸着を開放し保持していた偏光板を接着剤により液晶表示パネルＬＰＮに貼り付ける。このような偏光板貼付装置により、第１偏光板ＰＬ１及び第２偏光板ＰＬ２が液晶表示パネルＬＰＮに貼付される。
【００５６】
続いて、第１偏光板ＰＬ１及び第２偏光板ＰＬ２が貼付された位置の確認を行う検査工程に移行する（ＳＴ３）。この検査工程では、液晶表示パネルＬＰＮに貼付された第１偏光板ＰＬ１及び第２偏光板ＰＬ２のそれぞれの角部と偏光板マークＭとを目視によって確認し、偏光板マークＭに対して角部が許容範囲内に位置しているか否かを検査する。
【００５７】
より具体的には、例えば図３に示した例においては、対向基板ＣＴに形成された偏光板マークＭと、第２偏光板ＰＬ２の４つの角部Ｃとを目視により確認する。このとき、偏光板マークＭ及び角部Ｃを透過する透過光やこれらを反射した反射光、さらには、その周囲から入射した外光の影響により、偏光板マークＭ及び角部Ｃの輪郭あるいはシルエットを確認することが可能である。なお、第１偏光板ＰＬ１についても同様にして角部が確認され、偏光板マークＭとの位置関係の目視検査が行われる。
【００５８】
続いて、目視によって確認された偏光板マークＭ及び角部Ｃのそれぞれの位置に基づき、良品判定を行う（ＳＴ４）。すなわち、第２偏光板ＰＬ２の４つの角部Ｃが４つの偏光板マークＭのそれぞれに対して許容範囲内に位置していると確認された場合には、良品と判定される。一方で、第２偏光板ＰＬ２の４つの角部Ｃのうち、１つでも偏光板マークＭに対して許容範囲内から外れていることが確認された場合には、不良品と判定される。なお、第１偏光板ＰＬ１についても同様の良品判定が行われる。
【００５９】
液晶表示パネルＬＰＮに貼付された第１偏光板ＰＬ１及び第２偏光板ＰＬ２の双方について良品と判定された場合には（ＳＴ４、ＹＥＳ）、当該液晶表示パネルＬＰＮをモジュール工程に移送し、ドライバなど各種駆動回路等が実装される。また、液晶表示パネルＬＰＮに貼付された第１偏光板ＰＬ１及び第２偏光板ＰＬ２の少なくとも一方について不良品と判定された場合には（ＳＴ４、ＮＯ）、当該液晶表示パネルＬＰＮはリジェクト処理され、不良品と判定された第１偏光板ＰＬ１及び第２偏光板ＰＬ２の少なくとも一方を液晶表示パネルＬＰＮから剥離し（ＳＴ５）、再度ステップＳＴ２に戻って当該液晶表示パネルＬＰＮを偏光板貼付装置にセットし、同様の工程が行われる。
【００６０】
このような工程を経てモジュール工程に移行した液晶表示パネルＬＰＮについては、図３に示した液晶表示パネルＬＰＮの平面内における第１偏光板ＰＬ１及び第２偏光板ＰＬ２の第１方向Ｈ及び第２方向Ｖの位置ずれや、同平面内の回転方向のずれがほとんどない。つまり、第１偏光板ＰＬ１及び第２偏光板ＰＬ２の貼付位置の精度を向上することが可能となる。
【００６１】
図５は、液晶表示パネルＬＰＮにおけるアレイ基板ＡＲの側から対向基板ＣＴの側への給電構造を示す概略断面図である。
【００６２】
アレイ基板ＡＲは、アクティブエリアＤＳＰの外側に配置された給電パッドＰＤを備えている。この給電パッドＰＤは、図示しない給電配線に電気的に接続されており、コモン電位である。このような給電パッドＰＤは、シール材ＳＥよりも外側に配置され、図２を参照して説明したゲート線Ｙ、ソース線Ｘ、画素電極ＥＰなどを形成する各種導電材料を用いて形成されている。
【００６３】
対向基板ＣＴにおいて、絶縁基板３０の第１面３０Ａに配置された遮光層３２は、アクティブエリアＤＳＰの外側、且つ、シール材ＳＥの外側に延在している。この遮光層３２は、給電パッドＰＤに向かい合う給電部４０に延在している。遮光層３２の上に配置された対向電極ＥＴは、アクティブエリアＤＳＰの外側、且つ、シール材ＳＥの外側に延在している。この対向電極ＥＴは、給電部４０に延在し、さらに、遮光層３２よりも外側つまりシール材ＳＥから離れる側に延在している。このような対向電極ＥＴは、シール材ＳＥの外側において、給電部４０の遮光層３２を覆っている。
【００６４】
アレイ基板ＡＲと対向基板ＣＴとの間には、導電部材５０が配置されている。この導電部材５０は、アレイ基板ＡＲに備えられた給電パッドＰＤと、対向基板ＣＴの給電部４０に延在した対向電極ＥＴとの間に介在し、両者を電気的に接続している。
【００６５】
上述したような給電構造によれば、遮光層３２を給電部４０に延在したことにより、給電部４０とアクティブエリアＤＳＰとの間における第２絶縁基板３０と遮光層３２との段差に起因した対向電極ＥＴの断線を抑制することができ、対向電極ＥＴに対して確実にコモン電位を供給することができる。
【００６６】
ところで、上述したような給電構造は、液晶表示パネルＬＰＮの４隅に設けられることがある。この場合、図３に示した例のように、偏光板マークＭが給電構造と重なり、特に、偏光板マークＭと遮光層３２とが重なってしまうと、偏光板マークＭが目視しにくくなり、第１偏光板ＰＬ１及び第２偏光板ＰＬ２の十分な貼付位置精度を実現できない場合がある。
【００６７】
そこで、本実施形態においては、給電構造と重なる偏光板マークＭは、対向基板ＣＴを構成する第２絶縁基板３０の第１面３０Ａにおいて給電部４０に配置され、遮光層３２のパターン加工により形成されている。つまり、この偏光板マークＭは、給電部４０に延在した遮光層３２と同一材料によって形成した第１マークＭ１と、給電部４０に延在した遮光層３２に形成された開口からなる第２マークＭ２とを組み合わせて形成されている。このため、偏光板マークＭは、遮光層３２のパターニング工程で同時に形成される。
【００６８】
第１マークＭ１は、遮光層３２から切り離され、第２絶縁基板３０の第１面３０Ａに独立した島状に形成されている。この第１マークＭ１は、遮光層３２と同一材料たとえばクロムによって形成されているため、光を透過しないあるいは透過しにくい。このような第１マークＭ１と遮光層３２との間の距離は、第１マークＭ１が遮光層３２から分離して目視可能な程度に確保されることが望ましい。
【００６９】
第２マークＭ２は、その周辺が遮光層３２によって囲まれている。また、第２マークＭ２は、遮光層３２を除去して形成されており、第２絶縁基板３０の第１面３０Ａまで貫通している。このため、第２マークＭ２は、光を透過する。このような第２マークＭ２を形成する遮光層３２の開口寸法は、第２マークＭ２が遮光層３２の中から目視可能な程度に確保されることが望ましい。
【００７０】
このような構成の偏光板マークＭを目視した場合には、例えば第１マークＭ１は低透過率あるいは有色のパターンとして認識され、また、第２マークＭ２は第１マークより高透過率あるいは無色のパターンとして認識される。このため、給電構造と偏光板マークＭとが重なっていても、偏光板マークＭを目視しやすくなり、第１偏光板ＰＬ１及び第２偏光板ＰＬ２の貼付位置精度を向上することが可能となる。
【００７１】
次に、偏光板マークＭのより具体的な形状について説明する。
【００７２】
図６は、偏光板マークＭの形状の一例を示す平面図である。
【００７３】
偏光板マークＭは、図中の点線で示す通り、その外形がほぼ正方形状である。この偏光板マークＭは、１つの十字マークＭＡと、十字マークＭＡの周囲に配置された４つのＬ字マークＭＢ、ＭＣ、ＭＤ、ＭＥを有している。
【００７４】
十字マークＭＡは、偏光板マークＭの中心Ｏで交差している。この十字マークＭＡの交点、つまり、偏光板マークＭの中心Ｏは、第１偏光板ＰＬ１及び第２偏光板ＰＬ２の角部Ｃを偏光板マークＭに合わせる基準となる。つまり、第１偏光板ＰＬ１及び第２偏光板ＰＬ２は、各々の角部Ｃが偏光板マークＭの中心Ｏと重なるように配置される、あるいは、各々の角部Ｃが偏光板マークＭの中心Ｏの近傍に位置するように配置される。
【００７５】
Ｌ字マークＭＢ、ＭＣ、ＭＤ、ＭＥは、それぞれ偏光板マークＭの４隅に配置されている。Ｌ字マークＭＢ、ＭＣ、ＭＤ、ＭＥの各々の角部は、偏光板マークＭの角部となる。偏光板マークＭの外形は、第１偏光板ＰＬ１及び第２偏光板ＰＬ２の各々の角部Ｃが中心Ｏからずれたときの許容範囲に応じて設定されている。つまり、第１偏光板ＰＬ１及び第２偏光板ＰＬ２は、各々の角部Ｃが４つのＬ字マークＭＢ、ＭＣ、ＭＤ、ＭＥによって規定される範囲の内側に位置するように配置される。
【００７６】
また、図６に示した例では、偏光板マークＭは、４つのＬ字マークＭＢ、ＭＣ、ＭＤ、ＭＥの間にそれぞれ配置された４つのドットマークＭＦ、ＭＧ、ＭＨ、ＭＩを有している。ドットマークＭＦは、Ｌ字マークＭＢ及びＭＣの間に配置されている。ドットマークＭＨは、Ｌ字マークＭＤ及びＭＥの間に配置されている。これらのドットマークＭＦ及びＭＨは、十字マークＭＡの横マークＭＡ１と同一直線上に位置している。
【００７７】
ドットマークＭＧは、Ｌ字マークＭＣ及びＭＤの間に配置されている。ドットマークＭＩは、Ｌ字マークＭＢ及びＭＥの間に配置されている。これらのドットマークＭＧ及びＭＩは、十字マークＭＡの縦マークＭＡ２と同一直線上に位置している。
【００７８】
これらの十字マークＭＡ、４つのＬ字マークＭＢ、ＭＣ、ＭＤ、ＭＥ、及び、４つのドットマークＭＦ、ＭＧ、ＭＨ、ＭＩは、上述した第１マーク（つまり遮光パターン）Ｍ１または第２マーク（つまり開口パターン）Ｍ２として形成される。図７には、その一例が示されている。
【００７９】
図７は、対向基板ＣＴにおける給電部４０の構造を概略的に示す平面図である。
【００８０】
偏光板マークＭは、第２絶縁基板３０の上の給電部４０に形成されている。遮光層３２は、給電部４０に延在している。偏光板マークＭは、遮光層３２を用いて形成されている。対向電極ＥＴは、遮光層３２の上に配置され、給電部４０に延在している。また、この対向電極ＥＴは、偏光板マークＭの上にも配置されている。
【００８１】
偏光板マークＭのうち、十字マークＭＡ、Ｌ字マークＭＣ、ＭＤ、ＭＥ、ドットマークＭＧ及びＭＨは、第１マークＭ１として形成され、遮光層３２から離間している。つまり、これらの第１マークＭ１は、遮光層３２と同一材料によって第２絶縁基板３０の上に形成された遮光パターンである。これらの第１マークＭ１のそれぞれは、対向電極ＥＴによって覆われている。
【００８２】
偏光板マークＭのうち、Ｌ字マークＭＢ、ドットマークＭＦ及びＭＩは、第２マークＭ２として形成され、遮光層３２が除去されている。つまり、これらの第２マークＭ２は、遮光層３２を第２絶縁基板３０まで貫通した開口パターンである。
【００８３】
このように、第１マークＭ１及び第２マークＭ２によって構成された偏光板マークＭを目視した場合には、遮光パターンである第１マークＭ１によって遮光されるとともに、開口パターンである第２マークＭ２によって光が透過するため、偏光板マークＭの外形を認識することが可能である。
【００８４】
したがって、第１偏光板ＰＬ１及び第２偏光板ＰＬ２の位置確認を行う際、十字マークＭＡに基づいて第１偏光板ＰＬ１及び第２偏光板ＰＬ２の各々の角部Ｃの位置確認が容易となり、また、４つのＬ字マークＭＢ、ＭＣ、ＭＤ、ＭＥに基づいて位置ずれの許容範囲を認識しやすくなる。これにより、第１偏光板ＰＬ１及び第２偏光板ＰＬ２の貼付位置精度を向上することが可能となる。
【００８５】
また、第１偏光板ＰＬ１及び第２偏光板ＰＬ２を貼付した位置を検査する工程において、良品（第１偏光板ＰＬ１及び第２偏光板ＰＬ２の４つの角部Ｃが全て対応する偏光板マークＭ内に収まっている製品）及びリジェクト品（つまり、第１偏光板ＰＬ１及び第２偏光板ＰＬ２の４つの角部Ｃのうちの少なくとも１つの角部が偏光板マークＭからはみ出している製品）の判定が容易となる。
【００８６】
以上説明したように、この実施の形態によれば、偏光板の貼付位置精度を向上することが可能な液晶表示装置を提供することができる。
【００８７】
上述した本実施形態においては、対向基板ＣＴに配置される遮光層３２を利用して偏光板マークＭを形成することについて説明したが、アレイ基板ＡＲに本実施形態と同様の偏光板マークＭを形成しても良い。
【００８８】
図８は、アレイ基板ＡＲにおける給電パッドＰＤの構造を概略的に示す平面図である。図９は、図８に示したアレイ基板ＡＲのＡ−Ｂ線で切断した液晶表示パネルＬＰＮの概略断面図である。
【００８９】
アレイ基板ＡＲを構成する第１絶縁基板１０の第１面１０Ａには、コモン電位の給電配線ＣＯＭが配置されている。また、この給電配線ＣＯＭは、シール材ＳＥよりも外側に引き出され、その端部に概略リング状に形成されたリング電極部ＲＩＧを有している。この給電配線ＣＯＭは、上述したゲート線Ｙ、ゲート電極ＷＧ、あるいは、ソース線Ｘ等と同一材料により形成されている。このような給電配線ＣＯＭを形成する導電材料は、例えば、上述したアルミニウム、モリブデン、タングステン、チタンなどの遮光性の導電材料である。
【００９０】
偏光板マークＭは、リング電極部ＲＩＧに形成されている。すなわち、偏光板マークＭは、給電配線ＣＯＭを用いて形成されている。給電パッドＰＤは、リング電極部ＲＩＧの上に配置され、給電配線ＣＯＭと電気的に接続されている。また、この給電パッドＰＤは、偏光板マークＭの上にも配置されている。このような給電パッドＰＤは、例えば、画素電極ＥＰと同一材料である光透過性を有する導電材料（例えばＩＴＯ）によって形成されている。
【００９１】
偏光板マークＭのうち、十字マークＭＡ、Ｌ字マークＭＢ及びＭＤ、ドットマークＭＦ及びＭＩは、第１マークＭ１として形成され、リング電極部ＲＩＧから離間している。つまり、これらの第１マークＭ１は、給電配線ＣＯＭと同一材料によって第１絶縁基板１０の上に形成された遮光パターンである。
【００９２】
偏光板マークＭのうち、Ｌ字マークＭＣ及びＭＥ、ドットマークＭＧ及びＭＨは、第２マークＭ２として形成され、リング電極部ＲＩＧの一部が除去されている。つまり、これらの第２マークＭ２は、リング電極部ＲＩＧを第１絶縁基板１０まで貫通した開口パターンである。
【００９３】
アレイ基板ＡＲの給電パッドＰＤと、給電部４０に延在した対向電極ＥＴとは、アレイ基板ＡＲと対向基板ＣＴとの間に配置された導電部材５０により電気的に接続されている。
【００９４】
このような構成によれば、上述した例と同様の効果が得られ、特に、アレイ基板ＡＲを構成する第１絶縁基板１０の第１面１０Ａの側に形成された偏光板マークＭにより、アレイ基板ＡＲの外面つまり第１絶縁基板１０の第２面１０Ｂに貼付された偏光板ＰＬ１の位置確認が容易となり、偏光板ＰＬ１の貼付精度の向上を図ることが可能となる。
【００９５】
図１０は、液晶表示パネルにおけるアレイ基板ＡＲの側から対向基板ＣＴの側への他の給電構造を示す概略断面図である。
【００９６】
図１０に示した例は、図５に示した例及び図９に示した例と比較して、アレイ基板ＡＲ及び対向基板ＣＴの双方に偏光板マークＭが形成されている点で相違している。すなわち、対向基板ＣＴに形成された偏光板マークＭは、遮光層３２を用いて形成され、遮光層３２と同一材料からなる第１マーク（遮光パターン）Ｍ１と、遮光層３２を第２絶縁基板３０まで貫通する第２マーク（開口パターン）Ｍ２とによって構成されている。なお、対向基板ＣＴに形成される偏光板マークＭの構成は、図５乃至図７に示した例に限らない。
【００９７】
アレイ基板ＡＲに形成された偏光板マークＭは、給電配線ＣＯＭを用いて形成され、給電配線ＣＯＭと同一材料からなる第１マーク（遮光パターン）Ｍ１と、給電配線ＣＯＭを第１絶縁基板１０まで貫通する第２マーク（開口パターン）Ｍ２とによって構成されている。なお、アレイ基板ＡＲに形成される偏光板マークＭの構成は、図８乃至図９に示した例に限らない。また、アレイ基板ＡＲに形成される偏光板マークＭと対向基板ＣＴに形成される偏光板マークＭとは同一の構成であっても良いし、異なる構成であっても良い。
【００９８】
このような構成によれば、アレイ基板ＡＲの内面である第１絶縁基板１０の第１面１０Ａの側に形成された偏光板マークＭにより、アレイ基板ＡＲの外面である第１絶縁基板１０の第２面１０Ｂに貼付された偏光板ＰＬ１の位置確認が容易となり、偏光板ＰＬ１の貼付精度の向上を図ることが可能となる。また、対向基板ＣＴの内面である第２絶縁基板３０の第１面３０Ａの側に形成された偏光板マークＭにより、対向基板ＣＴの外面である第２絶縁基板３０の第２面３０Ｂに貼付された偏光板ＰＬ２の位置確認が容易となり、偏光板ＰＬ２の貼付精度の向上を図ることが可能となる。
【００９９】
特に、導電部材５０の遮光性が高い場合には、例えば対向基板ＣＴに形成された偏光板マークＭに基づいてアレイ基板ＡＲの外面に貼付された偏光板ＰＬ１の位置確認を行うことが困難な場合がある。このような場合であっても、図１０に示した例によれば、絶縁基板の第２面に貼付される偏光板の位置確認は、同一の絶縁基板の第１面側に形成された偏光板マークＭに基づいて容易に行うことができる。
【０１００】
なお、この発明は、上記実施形態そのものに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【０１０１】
本実施形態は、アレイ基板ＡＲから対向基板ＣＴに給電するための給電構造を備えた液晶表示装置に適用可能であり、液晶モードは特に問わない。また、液晶表示パネルＬＰＮは、光を選択的に透過する透過型の場合を例に説明したが、光を選択的に反射する反射型、つまり、画素電極ＥＰがアルミニウムなどの光反射性を有する導電材料によって形成された液晶表示パネルにおいても、本実施形態を適用可能である。
【０１０２】
図７などに示した偏光板マークＭは一例であって、本実施形態に適用可能な偏光板マークＭとしては、第１マークＭ１及び第２マークＭ２を組み合わせた構成であれば、図７などに示した例に限らない。また、偏光板マークＭは、遮光パターンである第１マークＭ１のみによって構成されても良いし、開口パターンである第２マークＭ２のみによって構成されても良い。
【符号の説明】
【０１０３】
ＬＰＮ…液晶表示パネル
ＡＲ…アレイ基板  １０…絶縁基板  ＰＤ…給電パッド
ＣＴ…対向基板  ３０…絶縁基板  Ｍ…偏光板マーク
Ｍ１…第１マーク（遮光パターン）  Ｍ２…第２マーク（開口パターン）
ＬＱ…液晶層  ＳＥ…シール材
ＤＳＰ…アクティブエリア  ＰＸ…画素
ＥＰ…画素電極  Ｗ…スイッチング素子  ＥＴ…対向電極
３２…遮光層
４０…給電部
５０…導電部材
ＰＬ１…第１偏光板  ＰＬ２…第２偏光板
【図１】
2010271691.tif 000003
【図２】
2010271691.tif 000004
【図３】
2010271691.tif 000005
【図４】
2010271691.tif 000006
【図５】
2010271691.tif 000007
【図６】
2010271691.tif 000008
【図７】
2010271691.tif 000009
【図８】
2010271691.tif 000010
【図９】
2010271691.tif 000011
【図１０】
2010271691.tif 000012